(57)【要約】【課題】有機溶剤を用いる糊接着加工がないので環境汚染のおそれがなく、必要な工数が少なく経済的に製造することができ、さらに軽量化が可能な反射幕付き標的浮舟を提供する。【解決手段】細長い帯状のポリウレタン引布２枚の両側縁どうしを融着してなる側縁に耳部を備えた垂直膨張性管状体気柱及び水平膨張性管状体気柱を有する反射幕付き標的浮舟であって、垂直膨張性管状体気柱の耳部及び水平膨張性管状気柱の耳部にアイレット付きタブを設け、垂直膨張性管状体気柱の耳部に設けたアイレット付きタブと水平膨張性管状体気柱の耳部に設けたアイレット付きタブとの間に反射幕を展張してなることを特徴とする反射幕付き標的浮舟。【選択図】図４
2008170021.tif 000002
【特許請求の範囲】
【請求項１】
細長い帯状のポリウレタン引布２枚の両側縁どうしを融着してなる側縁に耳部を備えた垂直膨張性管状体気柱及び水平膨張性管状体気柱を有する反射幕付き標的浮舟であって、垂直膨張性管状体気柱の耳部及び水平膨張性管状気柱の耳部にアイレット付きタブを設け、垂直膨張性管状体気柱の耳部に設けたアイレット付きタブと水平膨張性管状体気柱の耳部に設けたアイレット付きタブとの間に反射幕を展張してなることを特徴とする反射幕付き標的浮舟。
【請求項２】
隣接する２本の水平膨張性管状気柱の耳部に設けたアイレット付きタブの間に反射幕を展張してなる請求項１記載の反射幕付き標的浮舟。
【請求項３】
垂直膨張性管状体気柱４本と水平膨張性管状体気柱４本を、垂直膨張性管状体気柱のアイレット付きタブのない耳部の側縁と水平膨張性管状体気柱の末端を一致させて交互にＬ字形に重ね合わせ、垂直膨張性管状体気柱のアイレット付きタブのない耳部において縫製することにより一体化してなる請求項１記載の反射幕付き標的浮舟。
【発明の詳細な説明】
【技術分野】
【０００１】
本発明は、反射幕付き標的浮舟に関する。さらに詳しくは、本発明は、有機溶剤を用いる糊接着加工がないので環境汚染のおそれがなく、必要な工数が少なく経済的に製造することができ、さらに軽量化が可能な反射幕付き標的浮舟に関する。
【背景技術】
【０００２】
海上において航空機から飛翔体を発射して射撃訓練を行うために、反射幕付き標的浮舟が用いられる。反射幕付き標的浮舟は、底面が一辺５ｍ程度の正方形、高さが３.５ｍ程度の大きさであり、以前は艦船により訓練海域まで海上を曳航するか、あるいは、艦船に搭載して訓練海域まで運搬していた。そのために、訓練海域まで艦船を運航させる必要があり、多くの要員と器材と時間と経費を要していた。
この問題を解決するために、膨張性管状気柱と反射幕からなる反射幕付き標的浮舟が開発された。図８は、膨張性管状気柱と反射幕からなる反射幕付き標的浮舟の一例の側面図及び平面図である。この例の反射幕付き標的浮舟は、ゴム引布からなる４本の垂直膨張性管状気柱１２と４本の水平膨張性管状気柱１３が互いに直交して組み立てられ、４組の垂直膨張性管状気柱と水平膨張性管状気柱の間に４枚の垂直反射幕１４が展張され、隣接する４組の水平膨張性管状気柱の間に４枚の水平反射幕１５が展張されている。膨張性管状気柱は、ゴム引布からなるので、反射幕付き標的浮舟を図８に示す状態に製造したのち、膨張性管状気柱の中の空気を抜いて反射幕付き標的浮舟を折り畳むことができる。折り畳んだ状態で膨張性管状気柱に自動ガス充填装置を取り付け、訓練海域まで射撃訓練する航空機自体で反射幕付き標的浮舟を輸送し、反射幕付き標的浮舟を海面に投下すると、自動ガス充填装置が海水で濡れることにより作動し、炭酸ガスが膨張性管状気柱を充填して、反射幕付き標的浮舟は海面に浮上する。
図８に示す反射幕付き標的浮舟が開発されて、艦船により反射幕付き標的浮舟を訓練海域まで運搬する必要はなくなった。しかし、図８に示す反射幕付き標的浮舟の製造は、手間がかかる工程を多く有している。図９は、従来の反射幕付き標的浮舟の垂直膨張性管状気柱の一例の断面図である。この例の膨張性管状気柱は、４本の管状体１６を８本のＶ字形に折り曲げたテープ１７で糊を用いて接着し、さらに各管状体にアイレット付きタブ１８を糊を用いて接着している。図１０は、アイレット付きタブの一例の斜視図である。２枚のゴム引布１９が、糊付け部２０を残して貼り合わされ、アイレット２１が取り付けられている。糊付け部には補強テープ２２が貼り付けられ、２枚のゴム引布の貼合が補強されている。図１１は、アイレット付きタブの取り付け方法の一例の説明図である。アイレット付きタブ１８が糊付け部２０において、膨張性管状気柱２３に糊２４を用いて接着される。水平膨張性管状気柱にも、同様にして、アイレット付きタブが取り付けられる。垂直膨張性管状気柱と水平膨張性管状気柱を図８に示す状態に組み立てたのち、三角形の反射幕の直交する２辺にとりつけた紐をタブのアイレットに結び付け、反射幕付き標的浮舟を完成する。
４本の垂直膨張性管状気柱を８本のテープを用いて接着する作業、ゴム引布とアイレットを用いてアイレット付きタブを作製する作業、アイレット付きタブを垂直膨張性管状気柱と水平膨張性管状気柱に接着する作業は、いずれも手間がかかる作業である。また、糊を用いるために、糊に含まれるトルエンなどの有機溶剤が蒸発して、作業環境が悪化し、自然環境にも悪影響を与える。
【発明の開示】
【発明が解決しようとする課題】
【０００３】
本発明は、有機溶剤を用いる糊接着加工がないので環境汚染のおそれがなく、必要な工数が少なく経済的に製造することができ、さらに軽量化が可能な反射幕付き標的浮舟を提供することを目的としてなされたものである。
【課題を解決するための手段】
【０００４】
本発明者は、上記の課題を解決すべく鋭意研究を重ねた結果、細長い帯状のポリウレタン引布２枚の両側縁どうしを融着して側縁に耳部を備えた膨張性管状気柱とし、耳部を加工してアイレット付きタブとすることにより、糊を用いた接着加工を行うことなく、経済的に軽量の反射幕付き標的浮舟を製造し得ることを見いだし、この知見に基づいて本発明を完成するに至った。
すなわち、本発明は、
（１）細長い帯状のポリウレタン引布２枚の両側縁どうしを融着してなる側縁に耳部を備えた垂直膨張性管状体気柱及び水平膨張性管状体気柱を有する反射幕付き標的浮舟であって、垂直膨張性管状体気柱の耳部及び水平膨張性管状気柱の耳部にアイレット付きタブを設け、垂直膨張性管状体気柱の耳部に設けたアイレット付きタブと水平膨張性管状体気柱の耳部に設けたアイレット付きタブとの間に反射幕を展張してなることを特徴とする反射幕付き標的浮舟、
（２）隣接する２本の水平膨張性管状気柱の耳部に設けたアイレット付きタブの間に反射幕を展張してなる(１)記載の反射幕付き標的浮舟、及び、
（３）垂直膨張性管状体気柱４本と水平膨張性管状体気柱４本を、垂直膨張性管状体気柱のアイレット付きタブのない耳部の側縁と水平膨張性管状体気柱の末端を一致させて交互にＬ字形に重ね合わせ、垂直膨張性管状体気柱のアイレット付きタブのない耳部において縫製することにより一体化してなる(１)記載の反射幕付き標的浮舟、
を提供するものである。
【発明の効果】
【０００５】
本発明の反射幕付き標的浮舟は、ポリウレタン引布を用いるので、融着により耳部を有する膨張性管状気柱を製造することができ、軽量でコンパクトである。本発明の反射幕付き標的浮舟は、膨張性管状気柱の耳部を裁断してアイレットを取り付けることにより、アイレット付きタブを形成することができ、従来の糊を用いる接着加工に比べて、短時間で、環境を汚染することなく、経済的に製造することができる。さらに、本発明の反射幕付き標的浮舟は、垂直膨張性管状気柱４本を、アイレット付きタブのない耳部で縫製することにより、簡単に強固に接合された垂直膨張性管状気柱とすることができる。
【発明を実施するための最良の形態】
【０００６】
本発明の反射幕付き標的浮舟は、細長い帯状のポリウレタン引布２枚の両側縁どうしを融着してなる側縁に耳部を備えた垂直膨張性管状体気柱及び水平膨張性管状体気柱を有する反射幕付き標的浮舟であって、垂直膨張性管状体気柱の耳部及び水平膨張性管状気柱の耳部にアイレット付きタブを設け、垂直膨張性管状体気柱の耳部に設けたアイレット付きタブと水平膨張性管状体気柱の耳部に設けたアイレット付きタブとの間に反射幕を展張してなる反射幕付き標的浮舟である。
図１は、本発明に用いる膨張性管状気柱の一態様の説明図である。本図は、膨張性管状気柱を長手方向に垂直な平面で切断した端面を示す。２枚の細長い帯状のポリウレタン引布１を両側縁どうしで融着して耳部２を形成し、長手方向の両端を閉じて膨張性管状気柱とする。管状気柱の中へガスを送入することにより、管状気柱は膨張して断面が略円形の気柱となる。本発明に用いるポリウレタン引布に特に制限はなく、例えば、ポリウレタン片面引布、ポリウレタン両面引布のいずれをも用いることができる。ポリウレタン片面引布を用いる場合は、ポリウレタン面どうしを融着する。ポリウレタン引布は、ゴム引布に比べて軽量であり、融着による接合が可能なので、短時間で効率的に膨張性管状気柱を作製することができる。
【０００７】
図２は、本発明に用いる膨張性管状気柱の他の態様の部分側面図である。本態様の膨張性管状気柱においては、側縁の耳部の一方が裁断されてタブ３が形成され、各タブにアイレット４が取り付けられている。アイレット付きタブのない耳部５は、そのまま残されている。本発明において、耳部におけるタブの形成とアイレットの取り付けの順序に特に制限はなく、タブを形成したのちアイレットを取り付けることができ、アイレットを取り付けたのちタブを形成することもでき、あるいは、タブを形成することなく耳部にアイレットを取り付けるのみで、アイレット付きタブとすることもできる。
図３は、本発明の反射幕付き標的浮舟の一態様の側面図及び平面図である。本態様の反射幕付き標的浮舟においては、垂直膨張性管状気柱６の耳部に設けたアイレット付きタブと水平膨張性管状気柱７の耳部に設けたアイレット付きタブとの間に垂直反射幕８が展張されている。三角形の垂直反射幕は、その直交する２辺に設けた紐により、アイレットに結び付けられている。
【０００８】
本発明の反射幕付き標的浮舟は、垂直膨張性管状気柱の耳部に設けたアイレット付きタブと水平膨張性管状気柱の耳部に設けたアイレット付きタブとの間に展張した反射幕に加えて、隣接する２本の水平膨張性管状気柱の耳部に設けたアイレット付きタブの間にも反射幕を展張することが好ましい。図４は、本発明の反射幕付き標的浮舟の他の態様の側面図及び平面図である。本態様の反射幕付き標的浮舟においては、垂直膨張性管状気柱６の耳部に設けたアイレット付きタブと水平膨張性管状気柱７の耳部に設けたアイレット付きタブとの間に垂直反射幕８が展張され、さらに隣接する２本の水平膨張性管状気柱７の耳部に設けたアイレット付きタブの間に水平反射幕９が展張されている。反射幕付き標的浮舟に、４枚の垂直反射幕と４枚の水平反射幕を設けることにより、射撃訓練用の標的として十分な機能が発揮される。
【０００９】
本発明の反射幕付き標的浮舟は、垂直膨張性管状体気柱４本と水平膨張性管状体気柱４本を、垂直膨張性管状体気柱のアイレット付きタブのない耳部の側縁と水平膨張性管状体気柱の末端を一致させて交互にＬ字形に重ね合わせ、垂直膨張性管状体気柱のアイレット付きタブのない耳部において縫製することにより一体化することが好ましい。図５は、本発明の反射幕付き標的浮舟の他の態様の部分側面図及びＡ−Ａ線断面図である。本態様の反射幕付き標的浮舟は、４本の垂直膨張性管状気柱６と４本の水平膨張性管状気柱７が、垂直膨張性管状気柱のアイレット付きタブ３のない耳部５の側縁と水平膨張性管状気柱７の末端１０を一致させて交互にＬ字形に重ね合わされ、垂直膨張性管状体気柱のアイレット付きタブのない耳部において、縫い目１１において縫製され、一体化されている。
図６は、図５に示す態様の反射幕付き標的浮舟にガスを充填して膨張させた状態を示す説明図である。膨張した４本の垂直膨張性管状気柱６が縫い目を中心として互いに押し合い、固定化されて、外力により曲がりにくい剛性の高い垂直気柱となる。垂直気柱の下部から、膨張した水平膨張性管状気柱７が水平気柱として四方に張り出し、全体としてピラミッド形状の構造体が形成される。図７は、膨張性管状気柱が膨張し、海上に浮上した反射幕付き標的浮舟の一態様の斜視図である。
【実施例】
【００１０】
以下に、実施例を挙げて本発明をさらに詳細に説明するが、本発明はこれらの実施例によりなんら限定されるものではない。
実施例１
ポリウレタン片面引布を幅３０ｃｍ、長さ３４０ｃｍの帯状に１６枚裁断し、その２枚ずつの両側縁を幅５ｃｍで融着して、図２に示す形状の膨張性管状気柱８本を作製した。次いで、膨張性管状気柱の一方の耳部に、裁断により等間隔に１０個のタブを形成し、各タブに、外径２８ｍｍ、内径１６ｍｍの真鍮のアイレットを取り付けた。さらに、膨張性管状気柱にガス充填口を加工し、両末端を融着により封鎖した。
８本の膨張性管状気柱を、図５に示すように、アイレット付きタブを有する耳部を内側にして、垂直膨張性管状気柱のアイレット付きタブのない耳部の側縁と、水平膨張性管状気柱の末端を一致させて交互にＬ字形に重ね合わせ、垂直膨張性管状気柱のアイレット付きタブのない耳部において縫製し、８本の膨張性管状気柱を一体化した。次いで、垂直膨張性管状気柱と水平膨張性管状気柱を２辺とし、該２辺に紐を備えた直角三角形の垂直レーダ反射幕的４枚と、隣接する２本の水平膨張性管状気柱を２辺とし、該２辺に紐を備えた水平レーダ反射幕的４枚を、紐をアイレットに通して結ぶことにより膨張性管状気柱に取り付けた。さらに、８本の膨張性管状気柱のガス充填口に送気チューブを取り付け、８本の送気チューブを１本にまとめて、自動ガス充填装置に接続し、反射幕付き標的浮舟を完成した。
完成した反射幕付き標的浮舟を折り畳み、プールに投入した。膨張性管状気柱が膨張し、反射幕付き標的浮舟は、１０秒後に図７に示す形状となって水面に浮き上がった。水平膨張性管状気柱が水面に浮かび、垂直膨張性管状気柱が４本の水平膨張性管状気柱に支えられて直立し、４枚の水平レーダ反射幕的と４枚の垂直レーダ反射幕的は安定して支持されていた。
【産業上の利用可能性】
【００１１】
本発明の反射幕付き標的浮舟は、ポリウレタン引布を用いるので、融着により耳部を有する膨張性管状気柱を製造することができ、軽量でコンパクトである。本発明の反射幕付き標的浮舟は、膨張性管状気柱の耳部を裁断してアイレットを取り付けることにより、アイレット付きタブを形成することができ、従来の糊を用いる接着加工に比べて、短時間で、環境を汚染することなく、経済的に製造することができる。さらに、本発明の反射幕付き標的浮舟は、４本の垂直膨張性管状気柱を、４本の水平膨張性管状気柱と交互にＬ字形に重ねて、垂直膨張性管状気柱のアイレット付きタブのない耳部で縫製することにより、強固に接合された膨張性管状気柱を有する構造とすることができる。
【図面の簡単な説明】
【００１２】
【図１】本発明に用いる膨張性管状気柱の一態様の説明図である。
【図２】本発明に用いる膨張性管状気柱の他の態様の部分側面図である。
【図３】本発明の反射幕付き標的浮舟の一態様の側面図及び平面図である。
【図４】本発明の反射幕付き標的浮舟の他の態様の側面図及び平面図である。
【図５】本発明の反射幕付き標的浮舟の他の態様の部分側面図及び断面図である。
【図６】反射幕付き標的浮舟にガスを充填して膨張させた状態を示す説明図である。
【図７】膨張、浮上した反射幕付き標的浮舟の一態様の斜視図である。
【図８】反射幕付き標的浮舟の一例の側面図及び平面図である。
【図９】従来の反射幕付き標的浮舟の垂直膨張性管状気柱の一例の断面図である。
【図１０】アイレット付きタブの一例の斜視図である。
【図１１】アイレット付きタブの取り付け方法の一例の説明図である。
【符号の説明】
【００１３】
１  ポリウレタン引布
２  耳部
３  タブ
４  アイレット
５  アイレット付きタブのない耳部
６  垂直膨張性管状気柱
７  水平膨張性管状気柱
８  垂直反射幕
９  水平反射幕
１０  水平膨張性管状気柱の末端
１１  縫い目
１２  垂直膨張性管状気柱
１３  水平膨張性管状気柱
１４  垂直反射幕
１５  水平反射幕
１６  管状体
１７  テープ
１８  アイレット付きタブ
１９  ゴム引布
２０  糊付け部
２１  アイレット
２２  補強テープ
２３  膨張性管状気柱
２４  糊
【図１】
2008170021.tif 000003
【図２】
2008170021.tif 000004
【図３】
2008170021.tif 000005
【図４】
2008170021.tif 000006
【図５】
2008170021.tif 000007
【図６】
2008170021.tif 000008
【図７】
2008170021.tif 000009
【図８】
2008170021.tif 000010
【図９】
2008170021.tif 000011
【図１０】
2008170021.tif 000012
【図１１】
2008170021.tif 000013